(57)【要約】【課題】テレビリモコンを用いて、映像処理装置のチャンネルを変更したり、画質調整をしたりすることができる技術を提供する。【解決手段】テレビジョン受像機１００が、テレビリモコン３００から送出されるリモコン信号に基づいて得られるチャンネル情報を、ＨＤＭＩインタフェース部１１６を介して映像処理装置２００に送出すると、映像処理装置２００は、ＨＤＭＩインタフェース部２０８を介してチャンネル情報を受取り、チャンネル情報に対応するテレビジョン放送電波から得られる画像信号に対して高画質化画像処理部２０６において、高画質化画像処理を施し、ＨＤＭＩインタフェース部２０８を介してテレビジョン受像機１００に送出する。テレビジョン受像機１００は、ＨＤＭＩインタフェース部１１６を介して高画質画像データを受取り、画像表示部１１２に高画質画像データの表す高画質画像を表示する。【選択図】図１
2007259115.tif 000002
【特許請求の範囲】
【請求項１】
映像処理装置が所定の通信路を介して接続されうるテレビジョン受像機であって、
遠隔操作部から送信された操作信号を受信する操作信号受信部と、
前記操作信号から得られる指示情報に基づいて、所望のチャンネルのテレビジョン放送を受信し、その放送に対応した画像信号を取得する第１のチューナユニットと、
前記第１のチューナユニットの取得した前記画像信号に対して所定の画像処理を施して出力する画像処理部と、
前記画像処理部から出力された前記画像信号に基づいて画像を表示する画像表示部と、
前記テレビジョン受像機に前記通信路を介して前記映像処理装置が接続された場合に、前記映像処理装置との間で情報のやり取りを行う通信路インタフェース部と、
前記テレビジョン受像機に接続された前記映像処理装置が稼働中か否かを前記通信路インタフェース部を介して検出し、その検出結果を出力する映像処理装置検出部と、
前記検出結果に基づいて、前記映像処理装置が稼働中である場合には、前記操作信号から得られる前記指示情報を、前記第１のチューナユニットに代えて、前記通信路インタフェース部を介して前記映像処理装置の備える第２のチューナユニットに送出する指示情報送出部と、
前記検出結果に基づいて、前記映像処理装置が稼働中である場合には、前記画像処理部から出力される前記画像信号に代えて、前記映像処理装置の備える高画質化画像処理部から前記通信路インタフェース部を介して入力される高画質画像信号を、前記画像表示部に供給し、前記高画質画像信号に基づいて高画質画像を前記画像表示部に表示させる表示画像切替部と、
を備えることを特徴とするテレビジョン受像機。
【請求項２】
映像処理装置が所定の通信路を介して接続されうるテレビジョン受像機であって、
遠隔操作部から送信された操作信号を受信する操作信号受信部と、
前記操作信号から得られる指示情報に基づいて、所望のチャンネルのテレビジョン放送を受信し、その放送に対応した画像信号を取得する第１のチューナユニットと、
前記テレビジョン受像機に前記通信路を介して前記映像処理装置が接続された場合に、前記映像処理装置との間で情報のやり取りを行う通信路インタフェース部と、
前記操作信号から得られる前記指示情報を、前記第１のチューナユニットに送出すると共に、前記通信路インタフェース部を介して前記映像処理装置の備える第２のチューナユニットに送出する指示情報送出部と、
前記第１のチューナユニットの取得した前記画像信号に対して所定の画像処理を施して出力する画像処理部と、
前記画像処理部から出力された前記画像信号に基づいて画像を表示する画像表示部と、
前記テレビジョン受像機に接続された前記映像処理装置が稼働中か否かを前記通信路インタフェース部を介して検出し、その検出結果を出力する映像処理装置検出部と、
前記検出結果に基づいて、前記映像処理装置が稼働中である場合には、前記画像処理部から出力される前記画像信号に代えて、前記映像処理装置の備える高画質化画像処理部から前記通信路インタフェース部を介して入力された高画質画像信号を前記画像表示部に供給し、前記高画質画像信号に基づいて高画質画像を前記画像表示部に表示させる表示画像切替部と、
を備えることを特徴とするテレビジョン受像機。
【請求項３】
請求項１または請求項２に記載のテレビジョン受像機において、
前記操作信号から得られる前記指示情報に基づいて、画質調整用のメニューを作成して、前記画像信号の示す画像に重畳させると共に、前記画像処理部に対して所望の画質調整を行う画質調整部をさらに備えることを特徴とするテレビジョン受像機。
【請求項４】
請求項１ないし請求項３のうちの任意の一つに記載のテレビジョン受像機において、
前記通信路インタフェース部は、ＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）規格に基づいたインタフェース部であることを特徴とするテレビジョン受像機。
【請求項５】
テレビジョン受像機に所定の通信路を介して接続されうる映像処理装置であって、
前記テレビジョン受像機に前記通信路を介して前記映像処理装置が接続された場合に、前記テレビジョン受像機との間で情報のやり取りを行う通信路インタフェース部と、
前記テレビジョン受像機から前記通信路インタフェース部を介して入力される指示情報に基づいて、所望のチャンネルのテレビジョン放送を受信し、その放送に対応した画像信号を取得するチューナユニットと、
前記チューナユニットの取得した前記画像信号に対して所定の高画質化画像処理を施し、高画質画像信号として、前記テレビジョン受像機に前記通信路インタフェース部を介して送出する高画質化画像処理部と、
を備える映像処理装置。
【請求項６】
請求項５に記載の映像処理装置であって、
前記テレビジョン受像機から前記通信路インタフェース部を介して入力される指示情報に基づいて、画質調整用のメニューを作成して、前記高画質画像信号の示す高画質画像に重畳させると共に、前記高画質化画像処理部に対して所望の画質調整を行う画質調整部をさらに備えることを特徴とする映像処理装置。
【請求項７】
請求項５または請求項６に記載の映像処理装置において、
前記通信路インタフェース部はＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）規格に基づいたインタフェース部であることを特徴とする映像処理装置。
【請求項８】
映像処理装置と、該映像処理装置が所定の通信路を介して接続されうるテレビジョン受像機と、を備える高画質画像表示システムであって、
前記テレビジョン受像機は、
遠隔操作部から送信された操作信号を受信する操作信号受信部と、
前記操作信号から得られる指示情報に基づいて、所望のチャンネルのテレビジョン放送を受信し、その放送に対応した画像信号を取得する第１のチューナユニットと、
前記第１のチューナユニットの取得した前記画像信号に対して所定の画像処理を施して出力する画像処理部と、
前記画像処理部から出力された前記画像信号に基づいて画像を表示する画像表示部と、
前記テレビジョン受像機に前記通信路を介して前記映像処理装置が接続された場合に、前記映像処理装置との間で情報のやり取りを行う第１の通信路インタフェース部と、
前記テレビジョン受像機に接続された前記映像処理装置が稼働中か否かを前記第１の通信路インタフェース部を介して検出し、その検出結果を出力する映像処理装置検出部と、
前記検出結果に基づいて、前記映像処理装置が稼働中である場合には、前記操作信号から得られる前記指示情報を、前記第１のチューナユニットに代えて、前記第１の通信路インタフェース部を介して前記映像処理装置に送出する指示情報送出部と、
前記検出結果に基づいて、前記映像処理装置が稼働中である場合には、前記画像処理部から出力される前記画像信号に代えて、前記映像処理装置から前記第１の通信路インタフェース部を介して入力される高画質画像信号を、前記画像表示部に供給し、前記高画質画像信号に基づいて高画質画像を前記画像表示部に表示させる表示画像切替部と、
を備えるとともに、
前記映像処理装置は、
前記テレビジョン受像機に前記通信路を介して前記映像処理装置が接続された場合に、前記テレビジョン受像機との間で情報のやり取りを行う第２の通信路インタフェース部と、
前記テレビジョン受像機から前記第２の通信路インタフェース部を介して前記指示情報が入力された場合に、前記指示情報に基づいて、所望のチャンネルのテレビジョン放送を受信し、その放送に対応した画像信号を取得する第２のチューナユニットと、
前記第２のチューナユニットの取得した前記画像信号に対して所定の高画質化画像処理を施し、前記高画質画像信号として、前記テレビジョン受像機に前記第２の通信路インタフェース部を介して送出する高画質化画像処理部と、
を備えることを特徴とする高画質画像表示システム。
【請求項９】
映像処理装置と、該映像処理装置が所定の通信路を介して接続されうるテレビジョン受像機と、を備える高画質画像表示システムであって、
前記テレビジョン受像機は、
遠隔操作部から送信された操作信号を受信する操作信号受信部と、
前記操作信号から得られる指示情報に基づいて、所望のチャンネルのテレビジョン放送を受信し、その放送に対応した画像信号を取得する第１のチューナユニットと、
前記テレビジョン受像機に前記通信路を介して前記映像処理装置が接続された場合に、前記映像処理装置との間で情報のやり取りを行う第１の通信路インタフェース部と、
前記操作信号から得られる前記指示情報を、前記第１のチューナユニットに送出すると共に、前記第１の通信路インタフェース部を介して前記映像処理装置に送出する指示情報送出部と、
前記第１のチューナユニットの取得した前記画像信号に対して所定の画像処理を施して出力する画像処理部と、
前記画像処理部から出力された前記画像信号に基づいて画像を表示する画像表示部と、
前記テレビジョン受像機に接続された前記映像処理装置が稼働中か否かを前記第１の通信路インタフェース部を介して検出し、その検出結果を出力する映像処理装置検出部と、
前記検出結果に基づいて、前記映像処理装置が稼働中である場合には、前記画像処理部から出力される前記画像信号に代えて、前記映像処理装置から前記第１の通信路インタフェース部を介して入力された高画質画像信号を前記画像表示部に供給し、前記高画質画像信号に基づいて高画質画像を前記画像表示部に表示させる表示画像切替部と、
を備えるとともに、
前記映像処理装置は、
前記テレビジョン受像機に前記通信路を介して前記映像処理装置が接続された場合に、前記テレビジョン受像機との間で情報のやり取りを行う第２の通信路インタフェース部と、
前記テレビジョン受像機から前記第２の通信路インタフェース部を介して前記指示情報が入力された場合に、前記指示情報に基づいて、所望のチャンネルのテレビジョン放送を受信し、その放送に対応した画像信号を取得する第２のチューナユニットと、
前記第２のチューナユニットの取得した前記画像信号に対して所定の高画質化画像処理を施し、前記高画質画像信号として、前記テレビジョン受像機に前記第２の通信路インタフェース部を介して送出する高画質化画像処理部と、
を備えることを特徴とする高画質画像表示システム。
【発明の詳細な説明】
【技術分野】
【０００１】
本発明は、通信路を介して映像処理装置をテレビジョン受像機に接続することにより、テレビジョン受像機に高画質画像を表示させるための技術に関するものである。特に、通信路インタフェースがＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）から成る場合において、好適な技術に関するものである。ここで、映像処理装置とは、チューナから得られる画像信号に対して高画質化画像処理を施す装置をいう。
【背景技術】
【０００２】
従来、既存のテレビジョン受像機に表示される画像を高画質化したいという要望があった。そして、このような要望に応えて、テレビジョン受像機の外部入力にケーブルを介して接続することにより、高画質化された画像をテレビジョン受像機の表示画面に表示させることが可能な映像処理装置が研究されている。
このように、テレビジョン受像機の外部入力に映像処理装置を接続して、映像処理装置からの高画質化画像をテレビジョン受像機の表示画面に表示させる場合、ユーザは、まず、テレビジョン受像機の表示画面を外部入力画面に切替える必要があった。また、表示画面に表示されている高画質画像について、番組を変更したり、画質（明るさ、コントラスト、色の濃さ、色合い等）を調整したりする場合は、映像処理装置のチャンネルを変更したり、画質を調整したりしなければならなかった。
【発明の開示】
【発明が解決しようとする課題】
【０００３】
そのため、遠隔操作により高画質画像をテレビジョン受像機に表示させる場合は、テレビジョン受像機用のリモートコントローラ(以下、「テレビリモコン」という。)を用いてテレビジョン受像機の電源を入れ、表示画面を外部入力画面に切替えた後に、映像処理装置専用のリモートコントローラ（以下、「専用リモコン」という。）を用いて映像処理装置のチャンネルを変更しなければならなかった。すなわち、ユーザはテレビジョン放送を視聴する際に、テレビリモコンと専用リモコンの二つのリモコンを使い分けて操作するという煩わしさがあった。
従って、本発明の目的は、上述の従来技術の問題点を解決し、テレビリモコンを用いて、映像処理装置のチャンネルを変更したり、画質調整をしたりすることができる技術を提供することにある。
【課題を解決するための手段】
【０００４】
上述の課題の少なくとも一部を解決するために、本発明のテレビジョン受像機は、映像処理装置が所定の通信路を介して接続されうるテレビジョン受像機であって、  遠隔操作部から送信された操作信号を受信する操作信号受信部と、前記操作信号から得られる指示情報に基づいて、所望のチャンネルのテレビジョン放送を受信し、その放送に対応した画像信号を取得する第１のチューナユニットと、前記第１のチューナユニットの取得した前記画像信号に対して所定の画像処理を施して出力する画像処理部と、前記画像処理部から出力された前記画像信号に基づいて画像を表示する画像表示部と、前記テレビジョン受像機に前記通信路を介して前記映像処理装置が接続された場合に、前記映像処理装置との間で情報のやり取りを行う通信路インタフェース部と、前記テレビジョン受像機に接続された前記映像処理装置が稼働中か否かを前記通信路インタフェース部を介して検出し、その検出結果を出力する映像処理装置検出部と、前記検出結果に基づいて、前記映像処理装置が稼働中である場合には、前記操作信号から得られる前記指示情報を、前記第１のチューナユニットに代えて、前記通信路インタフェース部を介して前記映像処理装置の備える第２のチューナユニットに送出する指示情報送出部と、前記検出結果に基づいて、前記映像処理装置が稼働中である場合には、前記画像処理部から出力される前記画像信号に代えて、前記映像処理装置の備える高画質化画像処理部から前記通信路インタフェース部を介して入力される高画質画像信号を、前記画像表示部に供給し、前記高画質画像信号に基づいて高画質画像を前記画像表示部に表示させる表示画像切替部と、を備えることを要旨とする。
【０００５】
本明細書中において、指示情報とは、操作信号から導出される種々の情報を含む概念をいう。具体的には、操作信号から導き出されるデータコードや、データコードから導き出されるチャンネル情報等を含む。データコードとは、例えば、遠隔操作部がチャンネルボタン、メニューボタン、矢印ボタン、決定ボタン等を有する場合、チャンネル番号を示すコード等、それぞれのボタンに対応したコードをいう。また、チャンネル情報とは、第１のチューナユニットや、第２のチューナユニットが、所望のチャンネルのテレビジョン放送を受信する際に必要な情報であり、例えば、遠隔操作部のチャンネルボタンに対応するテレビジョン放送の周波数の情報を有するものをいう。
【０００６】
このような構成とすることで、テレビジョン受像機に映像処理装置が接続され、稼動している場合は、ユーザが、例えば、遠隔操作部のチャンネルボタンを押下すると、チャンネルボタンに対応する指示情報が、テレビジョン受像機の備える第１のチューナユニットには送出されず、映像処理装置に送出される。そして、テレビジョン受像機に接続されている映像処理装置が、上述の指示情報を受取り、指示情報に対応するテレビジョン放送の高画質画像信号をテレビジョン受像機に対して送出すると、テレビジョン受像機の画像表示部に表示される画像は、映像処理装置から入力される高画質画像に自動的に切替わる。
【０００７】
従って、上述のような映像処理装置が接続され、稼動していれば、ユーザは、遠隔操作部としてのテレビリモコンを使用して、映像処理装置のチャンネルを変更することができ、そのチャンネルに対応するテレビジョン放送の高画質画像が自動的に画像表示部に表示されるため、高画質画像を観たい場合に、テレビリモコンで表示画面を切替え、専用リモコンでチャンネルを変えるというような、二つのリモコンを使い分けて使用する煩雑さがなくなる。
【０００８】
また、本発明のテレビジョン受像機において、映像処理装置が所定の通信路を介して接続されうるテレビジョン受像機であって、遠隔操作部から送信された操作信号を受信する操作信号受信部と、前記操作信号から得られる指示情報に基づいて、所望のチャンネルのテレビジョン放送を受信し、その放送に対応した画像信号を取得する第１のチューナユニットと、前記テレビジョン受像機に前記通信路を介して前記映像処理装置が接続された場合に、前記映像処理装置との間で情報のやり取りを行う通信路インタフェース部と、前記操作信号から得られる前記指示情報を、前記第１のチューナユニットに送出すると共に、前記通信路インタフェース部を介して前記映像処理装置の備える第２のチューナユニットに送出する指示情報送出部と、前記第１のチューナユニットの取得した前記画像信号に対して所定の画像処理を施して出力する画像処理部と、前記画像処理部から出力された前記画像信号に基づいて画像を表示する画像表示部と、前記テレビジョン受像機に接続された前記映像処理装置が稼働中か否かを前記通信路インタフェース部を介して検出し、その検出結果を出力する映像処理装置検出部と、前記検出結果に基づいて、前記映像処理装置が稼働中である場合には、前記画像処理部から出力される前記画像信号に代えて、前記映像処理装置の備える高画質化画像処理部から前記通信路インタフェース部を介して入力された高画質画像信号を前記画像表示部に供給し、前記高画質画像信号に基づいて高画質画像を前記画像表示部に表示させる表示画像切替部と、を備えることを要旨としてもよい。
【０００９】
このような構成とすることで、本発明のテレビジョン受像機では、映像処理装置が接続され、稼動している場合に、ユーザが、例えば、遠隔操作部のチャンネルボタンを押下すると、チャンネルボタンに対応する指示情報が、テレビジョン受像機の備える第１のチューナユニットと、映像処理装置の双方に送出される。そして、テレビジョン受像機に接続されている映像処理装置が、上述の指示情報を受取り、指示情報に対応するテレビジョン放送の高画質画像信号をテレビジョン受像機に対して送出すると、テレビジョン受像機の画像表示部に表示される画像は、映像処理装置から入力される高画質画像に自動的に切替わる。
【００１０】
従って、上述のような映像処理装置が接続され、稼動していれば、ユーザは、遠隔操作部としてのテレビリモコンを使用して、映像処理装置のチャンネルを変更することができ、そのチャンネルに対応するテレビジョン放送の高画質画像が自動的に画像表示部に表示されるため、高画質画像を観たい場合に、テレビリモコンで表示画面を切替え、専用リモコンでチャンネルを変えるというような、二つのリモコンを使い分けて使用する煩雑さがなくなる。
【００１１】
また、本発明のテレビジョン受像機において、前記操作信号から得られる前記指示情報に基づいて、画質調整用のメニューを作成して、前記画像信号の示す画像に重畳させると共に、前記画像処理部に対して所望の画質調整を行う画質調整部をさらに備えることが好ましい。
【００１２】
このような構成とすることで、ユーザが遠隔操作部を使用して、テレビジョン受像機に表示される画像の画質を調整することができる。
【００１３】
また、本発明のテレビジョン受像機において、前記通信路インタフェース部は、ＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）規格に基づいたインタフェース部であることが好ましい。
【００１４】
このような通信路インタフェース部にすることにより、映像処理装置の通信路インタフェース部がＨＤＭＩ規格に基づいたものであれば、１本のケーブルで画像、音声、制御信号を合わせて送受信することができ、さらに、制御信号を双方向に伝送させることができる。これにより、複雑な配線が不要になる。
【００１５】
本発明の映像処理装置は、テレビジョン受像機に所定の通信路を介して接続されうる映像処理装置であって、前記テレビジョン受像機に前記通信路を介して前記映像処理装置が接続された場合に、前記テレビジョン受像機との間で情報のやり取りを行う通信路インタフェース部と、前記テレビジョン受像機から前記通信路インタフェース部を介して入力される指示情報に基づいて、所望のチャンネルのテレビジョン放送を受信し、その放送に対応した画像信号を取得するチューナユニットと、前記チューナユニットの取得した前記画像信号に対して所定の高画質化画像処理を施し、高画質画像信号として、前記テレビジョン受像機に前記通信路インタフェース部を介して送出する高画質化画像処理部と、を備えることを要旨とする。
【００１６】
このような構成とすることにより、例えば、ユーザが遠隔操作部のチャンネルボタンを押下すると、映像処理装置は、チャンネルボタンに対応するテレビジョン放送の画像信号に対して高画質化画像処理を施し、高画質化画像信号としてテレビジョン受像機に送出する。
【００１７】
従って、映像処理装置が接続されたテレビジョン受像機が、遠隔操作部からテレビジョン受像機に向けて送出された操作信号に係る指示情報を映像処理装置に送出し、映像処理装置から入力された高画質化画像信号に基づいて画像表示部に高画質画像を表示することができる場合は、ユーザが遠隔操作部を用いてチャンネル変更した場合に、テレビジョン受像機の表示画面に高画質画像を表示することが可能となる。
【００１８】
また、本発明の映像処理装置において、前記テレビジョン受像機から前記通信路インタフェース部を介して入力される指示情報に基づいて、画質調整用のメニューを作成して、前記高画質画像信号の示す高画質画像に重畳させると共に、前記高画質化画像処理部に対して所望の画質調整を行う画質調整部をさらに備えることが好ましい。
【００１９】
このような構成とすることにより、例えば、ユーザが遠隔操作部のメニューボタンを押下すると、映像処理装置は、メニューボタンに対応する指示情報に基づいて映像処理装置の画質調整用のメニューを作成する。また、指示情報に基づいて、ユーザの所望する高画質化画像処理を画像信号に対して行い、メニューと共にテレビジョン受像機に送出する。
【００２０】
従って、映像処理装置が接続されたテレビジョン受像機が、遠隔操作部からテレビジョン受像機に向けて送出された操作信号に係る指示情報を映像処理装置に送出し、映像処理装置から入力された高画質化画像信号およびメニューに基づいて画像表示部に高画質画像を表示することができる場合は、ユーザが遠隔操作部を用いて映像処理装置の画質を調整し、テレビジョン受像機の画像表示部にユーザの所望する画質の高画質画像を表示することが可能となる。
【００２１】
さらに、本発明の映像処理装置において、前記通信路インタフェース部はＨＤＭＩ（Ｈｉｇｈ―Ｄｅｆｉｎｉｔｉｏｎ  Ｍｕｌｔｉｍｅｄｉａ  Ｉｎｔｅｒｆａｃｅ）規格に基づいたインタフェース部であることが好ましい。
【００２２】
このような通信路インタフェース部にすることにより、テレビジョン受像機の通信路インタフェース部がＨＤＭＩ規格に基づいたものであれば、１本のケーブルで画像、音声、制御信号を合わせて送受信することができ、さらに、制御信号を双方向に伝送させることができる。これにより、複雑な配線が不要になる。
【００２３】
なお、本発明は、上述したテレビジョン受像機、および映像処理装置などの装置発明の態様に限ることなく、高画質画像表示システム、高画質画像表示方法などの態様で実現することも可能である。さらには、それら方法や装置を構築するためのコンピュータプログラムとしての態様や、そのようなコンピュータプログラムを記録した記録媒体としての態様など、種々の態様で具現化することも可能である。
【発明を実施するための最良の形態】
【００２４】
以下、本発明を実施するための最良の形態を実施例に基づいて以下の順序で説明する。
Ａ．第１の実施例：
Ｂ．第２の実施例：
Ｃ．第３の実施例：
Ｄ．変形例：
【００２５】
Ａ．第１の実施例：
第１の実施例について、図１ないし図３に基づいて説明する。図１は本発明の第１の実施例としての高画質画像表示システムの概略構成を示すブロック図である。そして、図２は、チャンネル情報作成部１０４における、チャンネル情報の送出先の切替の流れを示すフローチャートである。また、図３は、表示画像切替部１２０が画像表示部１１２に送出する画像を切替える流れを示すフローチャートである。
図１に示すように、本実施例の高画質画像表示システムは、テレビジョン受像機１００と、映像処理装置２００と、テレビリモコン３００と、で構成されている。
【００２６】
テレビジョン受像機１００は、主に、リモコン信号受信部１０２、チャンネル情報作成部１０４、選局制御部１０６、チューナユニット１０８、画像処理部１１０、画像表示部１１２、検出部１１４、ＨＤＭＩインタフェース部１１６、切替制御部１１８、および表示画像切替部１２０を備える。このうち、チャンネル情報作成部１０４、選局制御部１０６、検出部１１４、および切替制御部１１８は、テレビジョン受像機１００に設けられているＣＰＵ（図示せず）が、メモリ（図示せず）に格納されているコンピュータプログラムを実行することによって、そのＣＰＵにより機能される。
【００２７】
本実施例において、テレビジョン受像機１００は、ＳＤＴＶ（Ｓｔａｎｄａｒｄ  Ｄｅｆｉｎｉｔｉｏｎ  ＴｅｌｅＶｉｓｉｏｎ：標準品位テレビジョン）であり、画像表示部１１２は、液晶ディスプレイであるものとする。
【００２８】
前述の検出部１１４は、映像処理装置２００の起動を検出し、チャンネル情報作成部１０４、および切替制御部１１８に対して知らせる機能を有する。具体的には、テレビジョン受像機１００にＨＤＭＩケーブルを用いて映像処理装置２００を接続し、映像処理装置２００を起動すると、検出部１１４は、ＨＤＭＩインタフェース部１１６を介して映像処理装置２００が起動されたことを検出する。そして、検出した旨の信号（以下、「検出信号」という。）をチャンネル情報作成部１０４、および切替制御部１１８に送出する。一方、映像処理装置２００が起動されていない場合は、チャンネル情報作成部１０４に対して、検出信号が送出されない。
【００２９】
また、チャンネル情報作成部１０４は、検出信号を受信した後はチャンネル情報をＨＤＭＩインタフェース部１１６を介して映像処理装置２００へ送出し、検出信号を受信しない場合はチャンネル情報を選局制御部１０６へ送出する。
【００３０】
また、切替制御部１１８は、表示画像切替部１２０に対して制御信号を送出し、検出信号を受信した後は、画像表示部１１２に対して高画質画像データ（映像処理装置２００において高画質化画像処理が施された画像データ）を送出するように、表示画像切替部１２０を制御し、検出信号を受信しない場合は、画像表示部１１２に対して標準画質の画像データ（画像処理部１１０から送出された画像データ）を送出するように、表示画像切替部１２０を制御する。
【００３１】
なお、リモコン信号受信部１０２が、本請求項における操作信号受信部に、チャンネル情報作成部１０４が本請求項における指示情報送出部に、チューナユニット１０８が本請求項における第１のチューナユニットに、検出部１１４が本請求項における映像処理装置検出部に、ＨＤＭＩインタフェース部１１６が本請求項における第１の通信路インタフェース部に、それぞれ相当する。
【００３２】
一方、映像処理装置２００は、主に、選局制御部２０２、チューナユニット２０４、高画質化画像処理部２０６、およびＨＤＭＩインタフェース部２０８を備える。このうち、選局制御部２０２は、映像処理装置に設けられているＣＰＵ（図示せず）が、メモリ（図示せず）に格納されているコンピュータプログラムを実行することによって、そのＣＰＵにより機能される。
【００３３】
なお、チューナユニット２０４が本請求項における第２のチューナユニットに相当する。
【００３４】
そして、テレビジョン受像機１００と、映像処理装置２００とは、互いに１本のＨＤＭＩケーブルで接続されている。なお、図１においてＨＤＭＩインタフェース部１１６とＨＤＭＩインタフェース部２０８とは２本の矢印によって結ばれているが、画像信号（画像データ）とそれ以外の信号を区別するためであり、実際は１本のケーブルで接続されている。図１において、太線の矢印は、画像信号（画像データ）の流れを示している。
【００３５】
テレビリモコン３００は、例えば、テレビジョン受像機１００に付随のテレビリモコンであり、図示せざるチャンネルボタンを備えている。そして、テレビリモコン３００は、赤外線を搬送波としてリモコン信号を送出する。リモコン信号は、リモコンのチャンネルボタンに対応したデータコード、これから送信することをテレビジョン受像機に知らせるためのリーダーコード、メーカおよび機器の識別子であるカスタムコード等で構成されている。
【００３６】
なお、ＨＤＭＩケーブルが本請求項における所定の通信路、テレビリモコン３００が本請求項における遠隔操作部に相当する。
【００３７】
まず、映像処理装置２００が起動されていない場合の、テレビジョン受像機１００の動作について図２および図３を用いて説明する。
ユーザが、テレビリモコン３００のチャンネルボタン「１」を押下すると、テレビリモコン３００からチャンネル「１」を示すデータコードを含むリモコン信号が送出される。テレビジョン受像機１００のリモコン信号受信部１０２は、リモコン信号を受信すると、リモコン信号を増幅しデータコードを抽出して、抽出されたデータコードをチャンネル情報作成部１０４に送出する(ステップＳ１０２)。チャンネル情報作成部１０４は、データコードに基づいてチャンネル「１」に対応するテレビジョン放送電波の周波数を含むチャンネル情報を作成する(ステップＳ１０４)。映像処理装置２００が起動されておらず、チャンネル情報作成部１０４は検出部１１４からの検出信号を受信しないため(ステップＳ１０６)、選局制御部１０６にチャンネル情報を送出する(ステップＳ１１０)。選局制御部１０６は、チューナユニット１０８のチャンネル選局を制御するためのチューナ制御信号をチャンネル情報に基づいて作成し、チューナユニット１０８に送出する。
【００３８】
チューナユニット１０８は、選局制御部１０６から送出されるチューナ制御信号に従って、アンテナＡＮＴを介してテレビジョン放送電波を受信し、それらの中から、チャンネル「１」に対応する周波数のテレビジョン放送電波を選択し、そのテレビジョン放送電波から画像信号を抽出して画像処理部１１０に送出する。画像処理部１１０は、チューナユニット１０８から送出された画像信号に対して、各種変換を施した後、表示画像切替部１２０に画像データとして送出する。具体的には、アナログ／ディジタル変換（以下、「Ａ／Ｄ変換」と略す。）、インターレース／プログレッシブ変換（以下、「Ｉ／Ｐ変換」と略す。）、色変換、解像度変換、画質変換等を施している。ここで、Ａ／Ｄ変換とは入力されたアナログ信号をディジタル化することをいい、Ｉ／Ｐ変換とはインターレース画像をプログレッシブ画像に変換することをいう。また、解像度変換とは画像表示部１１２の液晶パネルに最適な解像度に変換することをいい、色変換とは入力された輝度信号や色差信号を、ＲＧＢ信号に変換することを言う。さらに、画質変換とは画像の明るさ、コントラスト、または色調等を調整したＲＧＢ信号に変換することをいう。
【００３９】
ここで、映像処理装置２００が起動されておらず、切替制御部１１８は検出部１１４からの検出信号を受信していない（ステップＳ２０２）。従って、表示画像切替部１２０は、切替制御部１１８に制御され、画像表示部１１２に対して標準画質の画像データを送出するように切替えられている。そのため、表示画像切替部１２０は、画像処理部１１０から送出された標準画質の画像データを画像表示部１１２に送出する（ステップＳ２０６）。
【００４０】
これにより、画像表示部１１２は、表示画像切替部１２０から送出された標準画質の画像データの表す画像を表示する。すなわち、画像表示部１１２には、チャンネル「１」に対応するテレビジョン放送の画像が標準画質で表示される。
【００４１】
次に、映像処理装置２００が起動されている場合の、テレビジョン受像機１００および映像処理装置２００の動作について説明する。なお、ユーザがテレビリモコン３００のチャンネルボタン「１」を押下し、チャンネル情報作成部１０４でチャンネル情報が作成されるまでの動作は、上述と同様であるため、それらについての説明は省略する。
【００４２】
映像処理装置２００が起動されているため、検出部１１４は、映像処理装置２００の起動を検出し、検出信号をチャンネル情報作成部１０４に送出している(ステップＳ１０６)。チャンネル情報作成部１０４は、検出信号を受け取っているため、ステップＳ１０４で作成したチャンネル情報を、ＨＤＭＩインタフェース部１１６を介して映像処理装置２００に対して送出する(ステップＳ１０８)。
【００４３】
映像処理装置２００は、ＨＤＭＩインタフェース部２０８を介してチャンネル情報を受取り、選局制御部２０２に送出する。選局制御部２０２は、テレビジョン受像機１００に内蔵される選局制御部１０６と同様に、チューナユニット２０４を制御するためのチューナ制御信号をチャンネル情報に基づいて作成し、チューナユニット２０４に送出する。チューナユニット２０４は、選局制御部２０２から送出されるチューナ制御信号に従って、アンテナＡＮＴを介してテレビジョン放送電波を受信し、それらの中から、チャンネル「１」に対応する周波数のテレビジョン放送電波を選択し、そのテレビジョン放送電波から画像信号を抽出して高画質化画像処理部２０６に送出する。高画質化画像処理部２０６は、テレビジョン受像機１００に内蔵される画像処理部１１０と同様にチューナユニット２０４から送出された画像信号に対して、各種変換を施し、高画質画像データとしてＨＤＭＩインタフェース部２０８を介してテレビジョン受像機１００に送出する。このとき、高画質化画像処理部２０６においては、標準画質のテレビジョン受像機１００に比べ高いビット数でのＡ／Ｄ変換、動き適応形走査線補間によるＩ／Ｐ変換、ノイズ除去処理、フレームレートを高速化する処理等を行うことにより高画質化画像処理を行っている。  
【００４４】
テレビジョン受像機１００は、ＨＤＭＩインタフェース部１１６を介して高画質画像データを受け取り、表示画像切替部１２０に送出する。ここで、映像処理装置２００が起動されており、切替制御部１１８は検出部１１４からの検出信号を受信しているため（ステップＳ２０２）、表示画像切替部１２０は、切替制御部１１８に制御され、画像表示部１１２に対して、高画質画像データを送出するように切替えられている。従って、表示画像切替部１２０は、高画質画像データを画像表示部１１２に送出する（ステップＳ２０４）。
【００４５】
これにより、画像表示部１１２は、表示画像切替部１２０から送出された高画質画像データの表す画像を表示する。以上の動作により、ユーザがテレビリモコン３００のチャンネルボタン「１」を押下することにより、チャンネル「１」に対応するテレビジョン放送画像が高画質化されて、テレビジョン受像機１００の画像表示部１１２に表示される。
【００４６】
以上説明したように、本実施例においては、テレビジョン受像機１００に付随するテレビリモコン３００によって、テレビジョン受像機１００、および映像処理装置２００の双方のチャンネルを変更することができるようになる。また、画像表示部１１２に表示される画像は、映像処理装置２００が起動されていない場合はテレビジョン受像機１００の標準画質の画像であり、映像処理装置２００が起動されている場合は、高画質の画像に自動的に切り替わる。すなわち、ユーザは映像処理装置２００を起動している場合は、映像処理装置２００の専用リモコンを使用したり、テレビジョン受像機１００の画面の切替等をすることなく、通常通りのテレビジョン受像機１００に対する操作と同じ操作をすることにより、高画質の画像を観ることができる。従って、ユーザが、映像処理装置２００の専用リモコンと、テレビジョン受像機１００のテレビリモコン３００の二つのリモコンを、使い分けて使用する煩わしさがなくなる。
【００４７】
なお、本実施例において、テレビジョン受像機１００はＳＤＴＶであり、画像表示部１１２は液晶ディスプレイであるものとしたが、テレビジョン受像機１００はＨＤＴＶ等、画像表示部１１２はＣＲＴディスプレイ等の種々の形態をとることが可能である。
【００４８】
Ｂ．第２の実施例：
次に、第２の実施例について、図３ないし図５に基づいて説明する。図４は、本発明の第２の実施例としての高画質画像表示システムの概略構成を示すブロック図である。そして、図５はチャンネル情報作成部１０４における、チャンネル情報の流れを示すフローチャートである。また、図３は、表示画像切替部１２０が画像表示部１１２に送出する画像を切替える流れを示すフローチャートである。図４に示すように、本実施例の高画質画像表示システムは、テレビジョン受像機１００と、映像処理装置２００と、テレビリモコン３００と、で構成されており、第１の実施例と同様にテレビジョン受像機１００と、映像処理装置２００とは、互いに１本のＨＤＭＩケーブルで接続されている。
【００４９】
テレビジョン受像機１００は、図１に示した第１の実施例におけるテレビジョン受像機１００の構成要素と同一の構成要素を備える。このうち、チャンネル情報作成部１０４、選局制御部１０６、検出部１１４、および切替制御部１１８は、テレビジョン受像機１００に設けられているＣＰＵ（図示せず）が、メモリ（図示せず）に格納されているコンピュータプログラムを実行することによって、そのＣＰＵにより機能される。なお、第１の実施例と同一の構成要素には、同一の番号を付してある。また、太線の矢印は、画像信号（画像データ）の流れを示している。
【００５０】
テレビジョン受像機１００の構成のうち、第１の実施例と異なる動作をするのは、チャンネル情報作成部１０４と、検出部１１４である。チャンネル情報作成部１０４は、チャンネル情報を作成した後、そのチャンネル情報を選局制御部１０６、および映像処理装置２００の双方に送出する。なお、映像処理装置２００へは、ＨＤＭＩインタフェース部１１６を介して送出される。
【００５１】
また、検出部１１４は、映像処理装置２００の起動を検出し、切替制御部１１８に対して知らせる機能を有する。具体的には、テレビジョン受像機１００にＨＤＭＩケーブルを用いて映像処理装置２００を接続し、映像処理装置２００を起動すると、検出部１１４は、ＨＤＭＩインタフェース部１１６を介して映像処理装置２００が起動されたことを検出し、検出信号を切替制御部１１８に送出する。一方、映像処理装置２００が起動されていない場合は、切替制御部１１８に対して、検出信号が送出されない。
【００５２】
一方、映像処理装置２００は、第１の実施例と同一の構成であり、各構成要素も第１の実施例と同様の動作をする。また、テレビリモコン３００も、第１の実施例と同様にテレビジョン受像機１００に付随のテレビリモコンであり、同様のリモコン信号を赤外線を搬送波として送出する。
【００５３】
まず、映像処理装置２００が起動されていない場合の、本実施例のテレビジョン受像機１００の動作について説明する。
ユーザが、テレビリモコン３００のチャンネルボタン「１」を押下すると、テレビリモコン３００からチャンネル「１」を示すデータコードを含むリモコン信号が送出される。テレビジョン受像機１００のリモコン信号受信部１０２は、リモコン信号を受信すると、リモコン信号を増幅しデータコードを抽出して、抽出されたデータコードをチャンネル情報作成部１０４に送出する（ステップＳ３０２）。チャンネル情報作成部１０４は、データコードに基づいてチャンネル「１」に対応するテレビジョン放送電波の周波数を含むチャンネル情報に変換する（ステップＳ３０４）。チャンネル情報作成部１０４は、チャンネル情報を選局制御部１０６へ送出すると共に（ステップＳ３０６）、ＨＤＭＩインタフェース部１１６を介して映像処理装置２００に対して送出する（ステップＳ３０８）。ここで、ＨＤＭＩインタフェース部１１６は、チャンネル情報を映像処理装置２００に送出しようとするが、映像処理装置２００は起動されていないため、そのチャンネル情報を受け取らない。
【００５４】
選局制御部１０６は、チューナユニット１０８のチャンネル選局を制御するためのチューナ制御信号をチャンネル情報に基づいて作成し、チューナユニット１０８に送出する。チューナユニット１０８は、選局制御部１０６から送出されるチューナ制御信号に従って、アンテナＡＮＴを介してテレビジョン放送電波を受信し、それらの中から、チャンネル「１」に対応する周波数のテレビジョン放送電波を選択し、そのテレビジョン放送電波から画像信号を抽出して画像処理部１１０に送出する。画像処理部１１０は、チューナユニット１０８から送出された画像信号に対して、各種変換を施した後、表示画像切替部１２０に画像データとして送出する。
ここで、映像処理装置２００が起動されていないため（ステップＳ２０２）、上述の通り、表示画像切替部１２０は、切替制御部１１８から送出された制御信号に従って、画像処理部１１０から送出された標準画質の画像データを画像表示部１１２に送出する（ステップＳ２０６）。そして、画像表示部１１２は、受付けた標準画質の画像データの表す画像を表示する。すなわち、画像表示部１１２には、チャンネル「１」に対応するテレビジョン放送の画像が標準画質で表示される。
【００５５】
次に、映像処理装置２００が起動されている場合の、テレビジョン受像機１００および映像処理装置２００の動作について説明する。なお、  ユーザが、テレビリモコン３００のチャンネルボタン「１」を押下することによって、チャンネル情報送出部１０６が選局制御部１０６にチャンネル情報を送出すると共に（ステップＳ３０６）、ＨＤＭＩインタフェース部１１６を介して映像処理装置２００にチャンネル情報を送出する（ステップＳ３０８）までの動作は、上述と同様であるため、それらについての説明は省略する。
テレビジョン受像機１００の選局制御部１０６、チューナユニット１０８、画像処理部１１０は上述と同様の動作をした後、チャンネル「１」に対応するテレビジョン放送の画像データを表示画像切替部１１８に送出する。
【００５６】
一方、映像処理装置２００は起動されているため、テレビジョン受像機１００がＨＤＭＩインタフェース部１１６を介して送出したチャンネル情報を、ＨＤＭＩインタフェース部２０８を介して受取る。その後、第１の実施例と同様に、選局制御部２０２が、チャンネル情報に基づいてチューナユニット２０４を制御し、チューナユニット２０４は、アンテナＡＮＴを介して受信したテレビジョン放送電波の中からチャンネル「１」に対応する周波数のテレビジョン放送電波を選択し、そのテレビジョン放送電波から画像信号を抽出して高画質化画像処理部２０６に送出する。高画質化画像処理部２０６は、チューナユニット２０４から送出された画像信号に対し、高画質化画像処理を施し高画質画像データとして、ＨＤＭＩインタフェース部２０８を介してテレビジョン受像機１００に送出する。
【００５７】
テレビジョン受像機１００は、ＨＤＭＩインタフェース部１１６を介して高画質画像データを受付け、表示画像切替部１２０に送出する。ここで、検出部１１４は映像処理装置２００の起動を検出し、検出信号を切替制御部１１８に送出している（ステップＳ２０２）。切替制御部１１８が検出信号を受信しているため、表示画像切替部１２０は、切替制御部１１８に制御され、画像表示部１１２に対して、高画質画像データを送出するように切替えられている。従って、表示画像切替部１２０は、映像処理装置２００から入力された高画質画像データを画像表示部１１２に送出する（ステップＳ２０４）。
【００５８】
これにより、画像表示部１１２は、表示画像切替部１２０から送出された高画質画像データの表す画像を表示する。以上の動作により、ユーザがテレビリモコン３００のチャンネルボタン「１」を押下することにより、チャンネル「１」に対応するテレビジョン放送の画像が高画質化されて、テレビジョン受像機１００の画像表示部１１２に表示される。
【００５９】
以上説明したように、第２の実施例における高画質画像表示システムにおいても、第１の実施例と同様の効果を得ることができる。
【００６０】
Ｃ．第３の実施例：
最後に、第３の実施例について、図６に基づいて説明する。図６は、本発明の第３の実施例としての高画質画像表示システムの概略構成を示すブロック図である。図６に示すように、本実施例の高画質画像表示システムは、テレビジョン受像機１００と、映像処理装置２００と、テレビリモコン３００と、で構成されており、第１の実施例と同様にテレビジョン受像機１００と、映像処理装置２００とは、互いに１本のＨＤＭＩケーブルで接続されている。
【００６１】
テレビジョン受像機１００は、図１に示した第１の実施例におけるテレビジョン受像機１００の構成要素に加え、データコード送出部１２２と、メニュー制御部１２４と、メニュー作成部１２６とをさらに備える。このうち、チャンネル情報作成部１０４、選局制御部１０６、検出部１１４、データコード送出部１２２、メニュー制御部１２４、および切替制御部１１８は、テレビジョン受像機１００に設けられているＣＰＵ（図示せず）が、メモリ（図示せず）に格納されているコンピュータプログラムを実行することによって、そのＣＰＵにより機能される。なお、第１の実施例と同一の構成要素には、同一の番号を付してある。また、太線の矢印は、画像信号（画像データ）の流れを示している。
【００６２】
本実施例において、メニューは、例えば、画像表示部１１２に表示される画像の明るさ、コントラスト、色の濃さ、色合い等の画質調整に係る項目を含む。例えば、ユーザがテレビリモコン３００の「メニュー」ボタンを押下すると、画像表示部１１２にメニューの項目を示す画像が表示される。その後、ユーザが「↑」「↓」ボタン、「決定」ボタンを操作して、「明るさ」のメニューを選択すると、「明るさ」の文字と共にレベルゲージが表示される。さらに、「↑」ボタンを押下すると、レベルゲージのレベル表示が変化する画像が表示される。最後に、ユーザが再度「メニュー」ボタンを押下すると、メニュー画像は消え、ユーザが意図する明るさの画像のみが表示されるものである。
【００６３】
前述の検出部１１４は、映像処理装置の起動を検出し、データコード送出部１２２、および切替制御部１１８に対して知らせる機能を有する。具体的には、テレビジョン受像機１００にＨＤＭＩケーブルを用いて映像処理装置２００を接続し、映像処理装置２００を起動すると、検出部１１４は、ＨＤＭＩインタフェース部１１６を介して映像処理装置２００が起動されたことを検出し、検出信号をデータコード送出部１２２、および切替制御部１１８に送出する。一方、映像処理装置２００が起動されていない場合は、データコード送出部１２２、および切替制御部１１８に対して、検出信号が送出されない。
【００６４】
また、データコード送出部１２２は、検出部１１４から検出信号を受信した後は、映像処理装置２００に対してＨＤＭＩインタフェース部１１６を介してデータコードを送出する。一方、検出信号を受信しない場合は、チャンネル情報作成部１０４、およびメニュー制御部１２４の双方に送出する。
【００６５】
チャンネル情報作成部１０４は、受取ったデータコードがチャンネルボタンの番号を示す場合は、チャンネル情報を作成し、選局制御部１０６へ送出する。また、メニュー制御部１２４は、データコードがメニューに関する場合（データコードが「メニュー」ボタン、「↑」「↓」ボタン、または「決定」ボタン等を示す場合）は、メニュー作成部１２６を制御するためのメニュー制御信号を作成し、メニュー作成部１２６へ送出する。
【００６６】
具体的には、メニュー制御部１２４は、最初に「メニュー」ボタンを示すデータコードを受取ったときは、メニュー作成部１２６にメニュー画像データを作成させるための制御信号を作成し、その後、「↑」「↓」ボタンや「決定」ボタンを示すデータコードを受取ると、その前に受取ったデータコードを参照し、次のメニュー画像データを作成させるための制御信号を作成する。例えば、「メニュー」ボタンを示すデータコードの次に、「↓」ボタンを示すデータコードを受取った場合は、メニュー画像のカーソルを移動させるためのメニュー制御信号を作成する。また、ユーザが種々のボタンを押下し、明るさの調整を選択（「決定」ボタンを押下）した後に、「↓」ボタンを押下した場合は、メニュー制御部１２４は、メニュー画像のレベルゲージを下げるためのメニュー制御信号を作成する。さらに、２回目に「メニュー」ボタンを示すデータ信号を受取った場合は、メニュー作成部１２６がメニュー画像データを送出しないためのメニュー制御信号を作成する。それと共に、メニュー制御部１２４は、ユーザが指定した画質調整に係る画質調整情報を、メニュー作成部１２６に作成させ、画像処理部１１０に送出させるためのメニュー制御信号を作成する。ここで、メニュー画像データとは、例えば、「明るさ」、「色の濃さ」、及び「色合い」等の画質調整の項目や、「明るさ」等のレベルを示すレベルゲージを表示画面１１２に表示させるための画像データ等をいう。  
【００６７】
メニュー作成部１２６は、上述のメニュー制御信号に従って、メニューの項目や、ユーザが指定した画質調整に係る情報を示すメニュー画像データを作成し、画像処理部１１０から送出される画像データに重畳する。それと共に、メニュー作成部１２６は、ユーザが指定した画質調整に係る画質調整情報を作成し、画像処理部１１０に送出する。例えば、ユーザがテレビリモコン３００の「↓」ボタンを押下して、「明るさ」のレベルを「３」に設定した場合、メニュー作成部１２６は、画像処理部１１０において、レベル「３」に対応する明度に画像処理が施されるように指定する画質調整情報を作成する。
【００６８】
なお、データコード送出部１２２が本請求項における指示情報送出部、メニュー作成部が本請求項における画質調整部に、それぞれ相当する。
【００６９】
一方、映像処理装置２００は、図１に示した第１の実施例における映像処理装置２００の構成要素に加え、チャンネル情報作成部２１４と、メニュー制御部２１０と、メニュー作成部２１２とをさらに備える。このうち、チャンネル情報作成部２１４、選局制御部２０２、およびメニュー制御部２１０は、映像処理装置２００に設けられているＣＰＵ（図示せず）が、メモリ（図示せず）に格納されているコンピュータプログラムを実行することによって、そのＣＰＵにより機能される。
【００７０】
前述のメニュー制御部２１０は、テレビジョン受像機１００の構成要素であるメニュー制御部１２４と同様の機能を有する。ただし、映像処理装置２００におけるメニューは、テレビジョン受像機１００におけるメニューの項目に加え、例えば、画像細部の解像感や立体感を高める画像へ変換するための「くっきり感」を指定する項目や、画質の質感を保ちながらノイズを低減する「すっきり感」を指定する項目等をさらに有する。
【００７１】
また、チャンネル情報作成部２１４は、テレビジョン受像機１００を構成するチャンネル情報作成部１０４と同様の機能を有する。また、メニュー作成部２１２は、テレビジョン受像機１００を構成するメニュー作成部１２６と、同様の機能を有する。
【００７２】
なお、メニュー作成部２１０が本請求項における画質調整部に相当する。
【００７３】
テレビリモコン３００は、例えば、テレビジョン受像機１００に付随のテレビリモコンであり、電源ボタン、チャンネルボタン、メニューボタン、矢印ボタン、決定ボタン等を備えている（図示しない）。メニューボタン、矢印ボタン、決定ボタン等は、主に画質調整等のメニュー操作をする際に使用するボタンである。そして、テレビリモコン３００は、第１の実施例と同様のリモコン信号を赤外線を搬送波として送出する。
【００７４】
まず、映像処理装置２００が起動されていない場合の、本実施例のテレビジョン受像機１００の動作について説明する。なお、ユーザがテレビリモコン３００のチャンネルボタンを押下した場合は、第１の実施例と同様の動作をするため、それらについての説明は省略する。
【００７５】
映像処理装置２００が起動されていないため、画像表示部１１２には、標準画質の画像が表示されており、その状態において、ユーザが、テレビリモコン３００の「メニュー」ボタンを押下すると、テレビリモコン３００から「メニュー」ボタンを示すデータコードを含むリモコン信号が送出される。テレビジョン受像機１００のリモコン信号受信部１０２は、リモコン信号を受信すると、リモコン信号を増幅した後、データコードを抽出して、データコード送出部１２２に送出する。ここで、映像処理装置２００は起動されていないため、データコード送出部１２２は検出部１１４から検出信号を受信していない。そのため、上述の通り、データコード送出部１２２は、データコードをチャンネル情報作成部１０４、およびメニュー制御部１２４の双方に送出する。
【００７６】
データコード送出部１２２から送出されたデータコードは、「メニュー」ボタンを示すデータコードであるため、上述の通り、メニュー制御部１２４は、メニュー画像データを作成させるための制御信号を作成し、メニュー作成部１２６に送出する。メニュー作成部１２６は、メニュー制御部１２４から送出されたメニュー制御信号に従ってメニュー画像データを作成し、画像処理部１１０から送出された画像データに重畳する。画像表示部１１２は、画像処理部１１０から送出された画像データが表す画像にメニュー画像データが表す画像を重畳して表示する。
【００７７】
さらに、ユーザが「↑」「↓」ボタン、「決定」ボタンを操作して、「明るさ」のメニューを選択した後に、「↑」ボタンを押下すると、上述の通り、メニュー作成部１２６は、レベルゲージの表示を変化させるメニュー画像データを作成し、画像処理部１１０から送出される画像データに重畳すると共に、レベルゲージの示す明るさに対応する画質調整情報を作成し、画像処理部１１０に送出する。そして、画像処理部１１０は、チューナユニット１０８から送出される画像信号に対して画像処理を行う際に、メニュー作成部１２６から送出された画質調整情報に基づいて、明るさの調整を行う。従って、画像表示部１１２には、ユーザが意図する明るさの画像が表示されるとともに、明るさのレベルゲージが表示される。
【００７８】
その後、ユーザが再度「メニュー」ボタンを押下すると、上述の通り、メニュー作成部１２６はメニュー画像データを送出しないため、画像表示部１１２からメニュー画像は消え、ユーザが意図する明るさの画像のみが表示される。
【００７９】
次に、映像処理装置２００が起動されている場合の、テレビジョン受像機１００および映像処理装置２００の動作について説明する。なお、ユーザがテレビリモコン３００のチャンネルボタンを押下した場合は、第１の実施例と同様の動作をするため、それについての説明は省略する。
【００８０】
映像処理装置２００が起動されているため、画像表示部１１２には、高画質の画像が表示されており、その状態において、ユーザが、テレビリモコン３００の「メニュー」ボタンを押下すると、テレビリモコン３００から「メニュー」ボタンを示すデータコードを含むリモコン信号が送出される。テレビジョン受像機１００のリモコン信号受信部１０２は、メニュー信号を受信すると、メニュー信号を増幅した後、データコードを抽出してデータコード送出部１２２に送出する。ここで、映像処理装置２００は起動されているため、上述の通り、検出部１１４は、映像処理装置２００の起動を検出し、検出信号をデータコード送出部１２２に送出している。データコード送出部１２２は、検出信号を受信しているため、「メニュー」ボタンを示すデータコードをＨＤＭＩインタフェース部１１６を介して映像処理装置２００に送出する。
【００８１】
映像処理装置２００は、ＨＤＭＩインタフェース部２０８を介してデータコードを受取り、チャンネル情報作成部２１４、およびメニュー制御部２１０に送出する。
【００８２】
データコード送出部１２２から送出されたデータコードは、「メニュー」ボタンを示すデータコードであるため、上述の通り、メニュー制御部２１０は、メニュー画像データを作成させるための制御信号を作成し、メニュー作成部２１２に送出する。メニュー作成部２１２はメニュー制御信号に従って、メニュー画像データを作成し、高画質化画像処理部２０６から送出される高画質画像データに重畳して、ＨＤＭＩインタフェース部２０８を介してテレビジョン受像機１００に送出する。
【００８３】
テレビジョン受像機１００は、ＨＤＭＩインタフェース部１１６を介してメニュー画像データが重畳された高画質画像データを受取り、表示画像切替部１２０に送出する。ここで、検出部１１４は映像処理装置２００の起動を検出し、検出信号を切替制御部１１８に送出しているため、表示画像切替部１２０は、切替制御部１１８に制御され、画像表示部１１２に対して、高画質画像データを送出するように切替えられている。そのため、表示画像切替部１２０は、メニュー画像データが重畳された高画質画像データを画像表示部１１２に送出する。画像表示部１１２は、高画質画像データが表す画像にメニュー画像データが表す画像を重畳して表示する。
【００８４】
さらに、ユーザが「↑」「↓」ボタン、「決定」ボタンを操作して、「くっきり感」のメニューを選択した後に、「↑」ボタンを押下すると、上述と同様にメニュー作成部２１２は、レベルゲージの表示を変化させるメニュー画像データを作成し、高画質化画像処理部２０６から送出される高画質画像データに重畳すると共に、レベルゲージの示す解像感、立体感に対応する画質調整情報を高画質化画像処理部２０６に送出する。そして、高画質化画像処理部２０６は、チューナユニット２０４から送出される画像信号に対して高画質化画像処理を施す際に、メニュー作成部２１２から送出された画質調整情報に基づいて、解像感や立体感の調整を行う。従って、画像表示部１１２には、ユーザが意図する解像感、立体感の画像が表示されるとともに、「くっきり感」のレベルゲージが表示される。
【００８５】
その後、ユーザが再度「メニュー」ボタンを押下すると、上述と同様に、メニュー作成部２１２がメニュー画像データを送出しないため、画像表示部１１２からメニュー画像は消え、ユーザが意図する解像感、立体感の画像のみが表示される。
【００８６】
以上説明したように、本実施例においては、テレビジョン受像機１００に付随するテレビリモコン３００によって、テレビジョン受像機１００、および映像処理装置２００の双方の画質を調整することができるようになる。従って、映像処理装置２００の専用リモコンと、テレビジョン受像機１００のテレビリモコン３００の二つのリモコンを、使い分けて使用する煩わしさがなくなる。
【００８７】
また、画像表示部１１２に表示されるメニュー画像は、映像処理装置２００が起動されていない場合はテレビジョン受像機１００の画像処理部１１０に係るメニュー画像であり、映像処理装置２００が起動されている場合は、映像処理装置２００の高画質化画像処理部２０６に係るメニュー画像に自動的に切り替わる。従って、映像処理装置２００の画質調整をする際も、画像表示部１１２の画像を確認しながら調整することができる。
【００８８】
なお、本実施例において、データコード送出部１２２は、検出部１１４から検出信号を受信したか否かによって、データコードの送出先を切替えていたが、例えば、データコード送出部１２２は、データコードをチャンネル情報作成部１０４、メニュー制御部１２４、および映像処理装置２００のいずれにも送出するようにしてもよい。
【００８９】
Ｄ．変形例：
上述した第１ないし第３の実施例におけるテレビジョン受像機１００は、液晶ディスプレイ、ＣＲＴディスプレイ等の画像表示機能、およびチューナユニットを備える種々の装置によっても同様の効果を得ることができる。例えば、パーソナルコンピュータ、セットトップボックス、ビデオデッキ等であってもよい。
【図面の簡単な説明】
【００９０】
【図１】本発明の第１の実施例における高画質画像表示システムの概要構成を示すブロック図である。
【図２】図１の高画質画像表示システムにおいて、チャンネル情報の送出先を切替える際の手順を示すフローチャートである。
【図３】図１の高画質画像表示システムにおいて、表示画像切替部１２０が画像表示部１１２に送出する画像を切替える手順を示すフローチャートである。
【図４】本発明の第２の実施例における高画質画像表示システムの概要構成を示すブロック図である。
【図５】図２の高画質画像表示システムにおいて、チャンネル情報を送出する際の手順を示すフローチャートである。
【図６】本発明の第３の実施例における高画質画像表示システムの概要構成を示すブロック図である。
【符号の説明】
【００９１】
１００...テレビジョン受像機
１０２...リモコン信号受信部
１０４...チャンネル情報作成部
１０６...選局制御部
１０８...チューナユニット
１１０...画像処理部
１１２...画像表示部
１１４...検出部
１１６...ＨＤＭＩインタフェース部
１１８...切替制御部
１２０...表示画像切替部
１２２...データコード送出部
１２４...メニュー制御部
１２６...メニュー作成部
２００...映像処理装置
２０２...選局制御部
２０４...チューナユニット
２０６...高画質化画像処理部
２０８...ＨＤＭＩインタフェース部
２１０...メニュー制御部
２１２...メニュー作成部
２１４...チャンネル情報作成部
３００...テレビリモコン
【図１】
2007259115.tif 000003
【図２】
2007259115.tif 000004
【図３】
2007259115.tif 000005
【図４】
2007259115.tif 000006
【図５】
2007259115.tif 000007
【図６】
2007259115.tif 000008